【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
ユーザ機器におけるワイヤレス通信のための方法であって、
ブロードキャスト情報を搬送する物理ダウンリンク共有チャネル（ＰＤＳＣＨ）を送信するために使用されるダウンリンクシンボルの長さの指示を、無線リソース制御（ＲＲＣ）接続状態から外れている間に、基地局から受信することと、前記長さが、開始ダウンリンクシンボルインデックスから終了ダウンリンクシンボルインデックスまでであり、前記ＰＤＳＣＨを送信するために使用されるダウンリンクシンボルの前記長さの前記指示が、前記ＵＥと前記基地局との間のＲＲＣ構成手順の前に受信される、
前記指示に少なくとも部分的に基づいて、前記ＰＤＳＣＨを復号することと
を備える方法。
【請求項２】
前記長さが、ダウンリンクシンボルの固定長である、請求項１に記載の方法。
【請求項３】
ダウンリンク制御情報（ＤＣＩ）を前記基地局から受信すること、ここにおいて、前記基地局によって前記ＰＤＳＣＨを送信するために使用されるダウンリンクシンボルの前記長さの前記指示が、前記ＤＣＩ内で受信される
をさらに備える、請求項１に記載の方法。
【請求項４】
前記ＤＣＩ内で受信されたＤＣＩフィールド内のビット値に少なくとも部分的に基づいて、前記ＰＤＳＣＨを送信するために使用されるダウンリンクシンボルの前記長さを識別すること、ここにおいて、復調基準信号（ＤＭＲＳ）パターンが、前記ＤＣＩフィールド内の前記ビット値に関連付けられる
をさらに備える、請求項３に記載の方法。
【請求項５】
前記基地局から物理ブロードキャストチャネル（ＰＢＣＨ）上でマスタ情報ブロック（ＭＩＢ）内で制御情報を受信することと、
前記ＭＩＢ内の前記制御情報に少なくとも部分的に基づいて、前記ＰＤＳＣＨの前記開始ダウンリンクシンボルインデックスを決定することと、
前記基地局から物理ダウンリンク制御チャネル（ＰＤＣＣＨ）上でＤＣＩ内で制御情報を受信することに少なくとも部分的に基づいて、前記ＰＤＳＣＨの前記終了ダウンリンクシンボルインデックスを決定することと、ここにおいて、前記ＰＤＳＣＨを復号することが、前記開始ダウンリンクシンボルインデックスおよび前記終了ダウンリンクシンボルインデックスに少なくとも部分的に基づく
をさらに備える、請求項１に記載の方法。
【請求項６】
基地局におけるワイヤレス通信のための方法であって、
ユーザ機器（ＵＥ）が無線リソース制御（ＲＲＣ）接続状態から外れている間に、ブロードキャスト情報を前記ＵＥに搬送する物理ダウンリンク共有チャネル（ＰＤＳＣＨ）を送信するために使用されるダウンリンクシンボルの長さを識別することと、前記長さが、開始ダウンリンクシンボルインデックスから終了ダウンリンクシンボルインデックスまでである、
前記ＵＥと基地局との間のＲＲＣ構成手順の前に、前記ＵＥに前記指示を送信することと
を備える方法。
【請求項７】
前記ブロードキャスト情報が、残りの最小システム情報（ＲＭＳＩ）もしくは他のシステム情報（ＯＳＩ）、またはその両方を備える、請求項１または請求項６に記載の方法。
【請求項８】
物理ブロードキャストチャネル（ＰＢＣＨ）上でマスタ情報ブロック（ＭＩＢ）内で制御情報を送信することに少なくとも部分的に基づいて、前記開始ダウンリンクシンボルインデックスの指示を前記ＵＥに提供すること
をさらに備える、請求項６に記載の方法。
【請求項９】
事前構成された規則に少なくとも部分的に基づいて、前記ブロードキャスト情報を搬送する前記ＰＤＳＣＨの送信のためのダウンリンクシンボルのセットを割り当てることと、
ダウンリンクシンボルの前記割り当てられたセットに少なくとも部分的に基づいて、前記ＰＤＳＣＨをスケジュールすることと、ここにおいて、好ましくは、ダウンリンクシンボルの前記割り当てられたセットが、ＲＭＳＩまたはＯＳＩを搬送する前記ＰＤＳＣＨに少なくとも部分的に基づいて可変である、
をさらに備える、請求項６に記載の方法。
【請求項１０】
フレームのスロットに関連する複数のダウンリンクシンボルを識別することと、
前記識別された複数のダウンリンクシンボルがダウンリンクシンボルの前記割り当てられたセットを満たすと決定することと、ここにおいて、前記ＰＤＳＣＨをスケジュールすることが、前記スロットに関連する前記識別された複数のダウンリンクシンボルが前記ＰＤＳＣＨを送信するために使用される複数のダウンリンクシンボルの前記割り当てられたセットを満たすことに少なくとも部分的に基づく
をさらに備える、請求項９に記載の方法。
【請求項１１】
前記識別された複数のダウンリンクシンボルがダウンリンクシンボルの前記割り当てられたセットを下回ると決定することと、
前記スロットの間に前記ＰＤＳＣＨをスケジュールすることを控えることと、又は、
前記識別された複数のダウンリンクシンボルがダウンリンクシンボルの前記割り当てられたセットを上回ると決定することと、
前記スロットに関連する未使用のダウンリンクシンボルのセットを切り捨てることと、ここにおいて、前記ＰＤＳＣＨをスケジュールすることが、前記切り捨てることに少なくとも部分的に基づく、
好ましくは、前記スロットに関連する未使用のダウンリンクシンボルの前記セットをパンクチャリングすることと
をさらに備える、請求項１０に記載の方法。
【請求項１２】
前記ブロードキャスト情報を搬送する前記ＰＤＳＣＨの送信のためのダウンリンクシンボルの最小セットを決定することと、
前記ブロードキャスト情報を搬送する前記ＰＤＳＣＨの送信のためのダウンリンクシンボルの最大セットを決定することと
をさらに備える、請求項９に記載の方法。
【請求項１３】
物理ダウンリンク制御チャネル（ＰＤＣＣＨ）上で、ダウンリンク制御情報（ＤＣＩ）内でダウンリンクシンボルの前記長さの前記指示を送信すること
をさらに備える、請求項６に記載の方法。
【請求項１４】
事前構成された規則に少なくとも部分的に基づいて、ブロードキャスト情報を搬送する前記ＰＤＳＣＨを送信するために使用されるダウンリンクシンボルの前記長さを決定することと、
ＤＣＩのＤＣＩフィールドに関連するビット値を割り当てることと、前記ビット値が、ダウンリンクシンボルの前記長さを指示する
をさらに備える、請求項６に記載の方法。
【請求項１５】
ワイヤレス通信のための装置であって、
請求項１〜１４のうちのいずれかに記載の方法を実行するための手段を備える装置。
【手続補正２】
【補正対象書類名】明細書
【補正対象項目名】０１８２
【補正方法】変更
【補正の内容】
【０１８２】
[0192]  本明細書の説明は、当業者が本開示を作成または使用することができるように与えたものである。本開示への様々な変更は当業者には容易に明らかとなり、本明細書で定義された一般原理は、本開示の範囲から逸脱することなく他の変形形態に適用され得る。したがって、本開示は、本明細書で説明した例および設計に限定されず、本明細書で開示された原理および新規の特徴に合致する最も広い範囲を与えられるべきである。
以下に本願の出願当初の特許請求の範囲に記載された発明を付記する。
［Ｃ１］
ワイヤレス通信のための方法であって、
ブロードキャスト情報を搬送する物理ダウンリンク共有チャネル（ＰＤＳＣＨ）を送信するために使用されるダウンリンクシンボルの長さの指示を、無線リソース制御（ＲＲＣ）接続状態から外れている間に、基地局から受信することと、前記長さが、開始ダウンリンクシンボルインデックスから終了ダウンリンクシンボルインデックスまでである、
前記指示に少なくとも部分的に基づいて、前記ＰＤＳＣＨを復号することとを備える方法。
［Ｃ２］
前記ブロードキャスト情報が、残りの最小システム情報（ＲＭＳＩ）もしくは他のシステム情報（ＯＳＩ）、またはその両方を備える、Ｃ１に記載の方法。
［Ｃ３］
前記長さが、ダウンリンクシンボルの固定長である、Ｃ１に記載の方法。
［Ｃ４］
ダウンリンク制御情報（ＤＣＩ）を前記基地局から受信すること、ここにおいて、前記基地局によって前記ＰＤＳＣＨを送信するために使用されるダウンリンクシンボルの前記長さの前記指示が、前記ＤＣＩ内で受信される
をさらに備える、Ｃ１に記載の方法。
［Ｃ５］
前記ＤＣＩ内で受信されたＤＣＩフィールド内のビット値に少なくとも部分的に基づいて、前記ＰＤＳＣＨを送信するために使用されるダウンリンクシンボルの前記長さを識別すること、ここにおいて、復調基準信号（ＤＭＲＳ）パターンが、前記ＤＣＩフィールド内の前記ビット値に関連付けられる
をさらに備える、Ｃ４に記載の方法。
［Ｃ６］
前記基地局から物理ブロードキャストチャネル（ＰＢＣＨ）上でマスタ情報ブロック（ＭＩＢ）内で制御情報を受信することと、
前記ＭＩＢ内の前記制御情報に少なくとも部分的に基づいて、前記ＰＤＳＣＨの前記開始ダウンリンクシンボルインデックスを決定することと、
前記基地局から物理ダウンリンク制御チャネル（ＰＤＣＣＨ）上でＤＣＩ内で制御情報を受信することに少なくとも部分的に基づいて、前記ＰＤＳＣＨの前記終了ダウンリンクシンボルインデックスを決定することと、ここにおいて、前記ＰＤＳＣＨを復号することが、前記開始ダウンリンクシンボルインデックスおよび前記終了ダウンリンクシンボルインデックスに少なくとも部分的に基づく
をさらに備える、Ｃ１に記載の方法。
［Ｃ７］
前記ＰＤＳＣＨを送信するために使用されるダウンリンクシンボルの前記長さの前記指示が、前記ＵＥと前記基地局との間の無線リソース制御（ＲＲＣ）構成手順の前に受信される、Ｃ１に記載の方法。
［Ｃ８］
ワイヤレス通信のための方法であって、
ユーザ機器（ＵＥ）が無線リソース制御（ＲＲＣ）接続状態から外れている間に、ブロードキャスト情報を前記ＵＥに搬送する物理ダウンリンク共有チャネル（ＰＤＳＣＨ）を送信するために使用されるダウンリンクシンボルの長さを識別することと、前記長さが、開始ダウンリンクシンボルインデックスから終了ダウンリンクシンボルインデックスまでである、
前記ＵＥに前記指示を送信することとを備える方法。
［Ｃ９］
前記ブロードキャスト情報が、残りの最小システム情報（ＲＭＳＩ）もしくは他のシステム情報（ＯＳＩ）、またはその両方を備える、Ｃ８に記載の方法。
［Ｃ１０］
物理ブロードキャストチャネル（ＰＢＣＨ）上でマスタ情報ブロック（ＭＩＢ）内で制御情報を送信することに少なくとも部分的に基づいて、前記開始ダウンリンクシンボルインデックスの指示を前記ＵＥに提供すること
をさらに備える、Ｃ８に記載の方法。
［Ｃ１１］
事前構成された規則に少なくとも部分的に基づいて、前記ブロードキャスト情報を搬送する前記ＰＤＳＣＨの送信のためのダウンリンクシンボルのセットを割り当てることと、
ダウンリンクシンボルの前記割り当てられたセットに少なくとも部分的に基づいて、前記ＰＤＳＣＨをスケジュールすることと
をさらに備える、Ｃ８に記載の方法。
［Ｃ１２］
ダウンリンクシンボルの前記割り当てられたセットが、ＲＭＳＩまたはＯＳＩを搬送する前記ＰＤＳＣＨに少なくとも部分的に基づいて可変である、Ｃ１１に記載の方法。
［Ｃ１３］
フレームのスロットに関連する複数のダウンリンクシンボルを識別することと、
前記識別された複数のダウンリンクシンボルがダウンリンクシンボルの前記割り当てられたセットを満たすと決定することと、ここにおいて、前記ＰＤＳＣＨをスケジュールすることが、前記スロットに関連する前記識別された複数のダウンリンクシンボルが前記ＰＤＳＣＨを送信するために使用される複数のダウンリンクシンボルの前記割り当てられたセットを満たすことに少なくとも部分的に基づく
をさらに備える、Ｃ１１に記載の方法。
［Ｃ１４］
前記識別された複数のダウンリンクシンボルがダウンリンクシンボルの前記割り当てられたセットを下回ると決定することと、
前記スロットの間に前記ＰＤＳＣＨをスケジュールすることを控えることと
をさらに備える、Ｃ１３に記載の方法。
［Ｃ１５］
前記識別された複数のダウンリンクシンボルがダウンリンクシンボルの前記割り当てられたセットを上回ると決定することと、
前記スロットに関連する未使用のダウンリンクシンボルのセットを切り捨てることと、ここにおいて、前記ＰＤＳＣＨをスケジュールすることが、前記切り捨てることに少なくとも部分的に基づく
をさらに備える、Ｃ１３に記載の方法。
［Ｃ１６］
前記スロットに関連する未使用のダウンリンクシンボルの前記セットをパンクチャリングすること
をさらに備える、Ｃ１５に記載の方法。
［Ｃ１７］
前記ブロードキャスト情報を搬送する前記ＰＤＳＣＨの送信のためのダウンリンクシンボルの最小セットを決定することと、
前記ブロードキャスト情報を搬送する前記ＰＤＳＣＨの送信のためのダウンリンクシンボルの最大セットを決定することと
をさらに備える、Ｃ１１に記載の方法。
［Ｃ１８］
物理ダウンリンク制御チャネル（ＰＤＣＣＨ）上で、ダウンリンク制御情報（ＤＣＩ）内でダウンリンクシンボルの前記長さの前記指示を送信すること
をさらに備える、Ｃ８に記載の方法。
［Ｃ１９］
事前構成された規則に少なくとも部分的に基づいて、ブロードキャスト情報を搬送する前記ＰＤＳＣＨを送信するために使用されるダウンリンクシンボルの前記長さを決定することと、
ＤＣＩのＤＣＩフィールドに関連するビット値を割り当てることと、前記ビット値が、ダウンリンクシンボルの前記長さを指示する
をさらに備える、Ｃ８に記載の方法。
［Ｃ２０］
ワイヤレス通信のための方法であって、
複数のダウンリンクシンボルにわたって、無線リソース制御（ＲＲＣ）接続状態から外れている間に物理ダウンリンク共有チャネル（ＰＤＳＣＨ）を基地局から受信することと、前記ＰＤＳＣＨがブロードキャスト情報を搬送する、
前記複数のダウンリンクシンボルの第１のセットにわたって前記ＰＤＳＣＨの第１のブラインド復号を実行することと、
前記複数のダウンリンクシンボルの第２のセットの間に前記ＰＤＳＣＨの第２のブラインド復号を実行することと、前記第２のセットの長さが前記第１のセットとは異なるを備える方法。
［Ｃ２１］
事前構成された規則に少なくとも部分的に基づいて、前記複数のダウンリンクシンボルの前記第１のセットまたは前記複数のダウンリンクシンボルの前記第２のセットを選択すること
をさらに備える、Ｃ２０に記載の方法。
［Ｃ２２］
前記事前構成された規則が、前記複数のダウンリンクシンボルの最小ダウンリンクシンボル数または最大ダウンリンクシンボル数を備える、Ｃ２１に記載の方法。
［Ｃ２３］
前記最小ダウンリンクシンボル数もしくは前記最大ダウンリンクシンボル数、またはその両方が、ダウンリンク制御情報（ＤＣＩ）内に指示される、Ｃ２２に記載の方法。
［Ｃ２４］
前記最小ダウンリンクシンボル数もしくは前記最大ダウンリンクシンボル数、またはその両方が、事前定義される、Ｃ２２に記載の方法。
［Ｃ２５］
前記ＰＤＳＣＨのコーディングされたビットが前記最小ダウンリンクシンボル数内であることに少なくとも部分的に基づいて、前記ＰＤＳＣＨの前記コーディングされたビットのＬＬＲのソフト合成を実行すること
をさらに備える、Ｃ２２に記載の方法。
［Ｃ２６］
前記事前構成された規則に少なくとも部分的に基づいて、前記複数のダウンリンクシンボルの前記第１のセットを選択すること、ここにおいて、前記ＰＤＳＣＨの前記ブラインド復号を実行することが、前記複数のダウンリンクシンボルの前記選択された第１のセットに少なくとも部分的に基づく
をさらに備える、Ｃ２１に記載の方法。
［Ｃ２７］
前記事前構成された規則に少なくとも部分的に基づいて、前記複数のダウンリンクシンボルの前記第２のセットを選択すること、ここにおいて、前記ＰＤＳＣＨの前記ブラインド復号を実行することが、前記複数のダウンリンクシンボルの前記選択された第２のセットに少なくとも部分的に基づく
をさらに備える、Ｃ２１に記載の方法。
［Ｃ２８］
前記ブロードキャスト情報が、残りの最小システム情報（ＲＭＳＩ）もしくは他のシステム情報（ＯＳＩ）、またはその両方を備える、Ｃ２０に記載の方法。
［Ｃ２９］
ワイヤレス通信のための装置であって、
ブロードキャスト情報を搬送する物理ダウンリンク共有チャネル（ＰＤＳＣＨ）を送信するために使用されるダウンリンクシンボルの長さの指示を、無線リソース制御（ＲＲＣ）接続状態から外れている間に、基地局から受信するための手段と、前記長さが、開始ダウンリンクシンボルインデックスから終了ダウンリンクシンボルインデックスまでである、
前記指示に少なくとも部分的に基づいて、前記ＰＤＳＣＨを復号するための手段とを備える装置。
［Ｃ３０］
前記長さが、ダウンリンクシンボルの固定長である、Ｃ２９に記載の装置。
［Ｃ３１］
ダウンリンク制御情報（ＤＣＩ）を前記基地局から受信するための手段、ここにおいて、前記基地局によって前記ＰＤＳＣＨを送信するために使用されるダウンリンクシンボルの前記長さの前記指示が、前記ＤＣＩ内で受信される
をさらに備える、Ｃ２９に記載の装置。
［Ｃ３２］
前記ＤＣＩ内で受信されたＤＣＩフィールド内のビット値に少なくとも部分的に基づいて、前記ＰＤＳＣＨを送信するために使用されるダウンリンクシンボルの前記長さを識別するための手段、ここにおいて、復調基準信号（ＤＭＲＳ）パターンが、前記ＤＣＩフィールド内の前記ビット値に関連付けられる
をさらに備える、Ｃ３１に記載の装置。
［Ｃ３３］
前記基地局から、物理ブロードキャストチャネル（ＰＢＣＨ）上で、マスタ情報ブロック（ＭＩＢ）内で制御情報を受信するための手段と、
前記ＭＩＢ内の前記制御情報に少なくとも部分的に基づいて、前記ＰＤＳＣＨの前記開始ダウンリンクシンボルインデックスを決定するための手段と、
前記基地局から、物理ダウンリンク制御チャネル（ＰＤＣＣＨ）上で、ＤＣＩ内で制御情報を受信することに少なくとも部分的に基づいて、前記ＰＤＳＣＨの前記終了ダウンリンクシンボルインデックスを決定するための手段と、ここにおいて、前記ＰＤＳＣＨを復号することが、前記開始ダウンリンクシンボルインデックスおよび前記終了ダウンリンクシンボルインデックスに少なくとも部分的に基づく
をさらに備える、Ｃ２９に記載の装置。
［Ｃ３４］
前記ＰＤＳＣＨを送信するために使用されるダウンリンクシンボルの前記長さの前記指示が、前記ＵＥと前記基地局との間の無線リソース制御（ＲＲＣ）構成手順の前に受信される、Ｃ２９に記載の装置。
［Ｃ３５］
ワイヤレス通信のための装置であって、
ユーザ機器（ＵＥ）が無線リソース制御（ＲＲＣ）接続状態から外れている間に、前記ＵＥにブロードキャスト情報を搬送する物理ダウンリンク共有チャネル（ＰＤＳＣＨ）を送信するために使用されるダウンリンクシンボルの長さを識別するための手段と、前記長さが、開始ダウンリンクシンボルインデックスから終了ダウンリンクシンボルインデックスまでである、
前記ＵＥに前記指示を送信するための手段とを備える装置。
［Ｃ３６］
前記ブロードキャスト情報が、残りの最小システム情報（ＲＭＳＩ）もしくは他のシステム情報（ＯＳＩ）、またはその両方を備える、Ｃ３５に記載の装置。
［Ｃ３７］
物理ブロードキャストチャネル（ＰＢＣＨ）上で、マスタ情報ブロック（ＭＩＢ）内で制御情報を送信することに少なくとも部分的に基づいて、前記開始ダウンリンクシンボルインデックスの指示を前記ＵＥに提供するための手段
をさらに備える、Ｃ３５に記載の装置。
［Ｃ３８］
事前構成された規則に少なくとも部分的に基づいて、前記ブロードキャスト情報を搬送する前記ＰＤＳＣＨの送信のためのダウンリンクシンボルのセットを割り当てるための手段と、
ダウンリンクシンボルの前記割り当てられたセットに少なくとも部分的に基づいて、前記ＰＤＳＣＨをスケジュールするための手段と
をさらに備える、Ｃ３５に記載の装置。
［Ｃ３９］
ダウンリンクシンボルの前記割り当てられたセットが、ＲＭＳＩまたはＯＳＩを搬送する前記ＰＤＳＣＨに少なくとも部分的に基づいて可変である、Ｃ３８に記載の装置。
［Ｃ４０］
フレームのスロットに関連する複数のダウンリンクシンボルを識別するための手段と、
前記識別された複数のダウンリンクシンボルがダウンリンクシンボルの前記割り当てられたセットを満たすと決定するための手段と、ここにおいて、前記ＰＤＳＣＨをスケジュールすることが、前記スロットに関連する前記識別された複数のダウンリンクシンボルが前記ＰＤＳＣＨを送信するために使用される複数のダウンリンクシンボルの前記割り当てられたセットを満たすことに少なくとも部分的に基づく
をさらに備える、Ｃ３８に記載の装置。
［Ｃ４１］
前記識別された複数のダウンリンクシンボルがダウンリンクシンボルの前記割り当てられたセットを下回ると決定するための手段と、
前記スロットの間に前記ＰＤＳＣＨをスケジュールすることを控えるための手段と
をさらに備える、Ｃ４０に記載の装置。
［Ｃ４２］
前記識別された複数のダウンリンクシンボルがダウンリンクシンボルの前記割り当てられたセットを上回ると決定するための手段と、
前記スロットに関連する未使用のダウンリンクシンボルのセットを切り捨てるための手段と、ここにおいて、前記ＰＤＳＣＨをスケジュールすることが、前記切り捨てることに少なくとも部分的に基づく
をさらに備える、Ｃ４０に記載の装置。
［Ｃ４３］
前記スロットに関連する未使用のダウンリンクシンボルの前記セットをパンクチャリングするための手段
をさらに備える、Ｃ４２に記載の装置。
［Ｃ４４］
前記ブロードキャスト情報を搬送する前記ＰＤＳＣＨの送信のためのダウンリンクシンボルの最小セットを決定するための手段と、
前記ブロードキャスト情報を搬送する前記ＰＤＳＣＨの送信のためのダウンリンクシンボルの最大セットを決定するための手段と
をさらに備える、Ｃ３８に記載の装置。
［Ｃ４５］
物理ダウンリンク制御チャネル（ＰＤＣＣＨ）上で、ダウンリンク制御情報（ＤＣＩ）内でダウンリンクシンボルの前記長さの前記指示を送信するための手段
をさらに備える、Ｃ３５に記載の装置。
［Ｃ４６］
事前構成された規則に少なくとも部分的に基づいて、ブロードキャスト情報を搬送する前記ＰＤＳＣＨを送信するために使用されるダウンリンクシンボルの前記長さを決定するための手段と、
ＤＣＩのＤＣＩフィールドに関連するビット値を割り当てるための手段と、前記ビット値が、ダウンリンクシンボルの前記長さを指示する
をさらに備える、Ｃ３５に記載の装置。
［Ｃ４７］
ワイヤレス通信のための装置であって、
無線リソース制御（ＲＲＣ）接続状態から外れている間に、複数のダウンリンクシンボルにわたって、物理ダウンリンク共有チャネル（ＰＤＳＣＨ）を基地局から受信するための手段と、前記ＰＤＳＣＨがブロードキャスト情報を搬送する、
前記複数のダウンリンクシンボルの第１のセットにわたって前記ＰＤＳＣＨの第１のブラインド復号を実行するための手段と、
前記複数のダウンリンクシンボルの第２のセットの間に前記ＰＤＳＣＨの第２のブラインド復号を実行するための手段と、前記第２のセットの長さが前記第１のセットとは異なるを備える装置。
［Ｃ４８］
ワイヤレス通信のための装置であって、
プロセッサと、
前記プロセッサと電子通信しているメモリと、
前記メモリ内に記憶された命令とを備え、前記命令が、前記装置に、
ブロードキャスト情報を搬送する物理ダウンリンク共有チャネル（ＰＤＳＣＨ）を送信するために使用されるダウンリンクシンボルの長さの指示を、無線リソース制御（ＲＲＣ）接続状態から外れている間に、基地局から受信することと、前記長さが、開始ダウンリンクシンボルインデックスから終了ダウンリンクシンボルインデックスまでである、
前記指示に少なくとも部分的に基づいて、前記ＰＤＳＣＨを復号することとを行わせるように、前記プロセッサによって実行可能な装置。
［Ｃ４９］
前記ブロードキャスト情報が、残りの最小システム情報（ＲＭＳＩ）もしくは他のシステム情報（ＯＳＩ）、またはその両方を備える、Ｃ４８に記載の装置。
［Ｃ５０］
ワイヤレス通信のための装置であって、
プロセッサと、
前記プロセッサと電子通信しているメモリと、
前記メモリ内に記憶された命令とを備え、前記命令が、前記装置に、
ユーザ機器（ＵＥ）が無線リソース制御（ＲＲＣ）接続状態から外れている間に、前記ＵＥにブロードキャスト情報を搬送する物理ダウンリンク共有チャネル（ＰＤＳＣＨ）を送信するために使用されるダウンリンクシンボルの長さを識別することと、前記長さが、開始ダウンリンクシンボルインデックスから終了ダウンリンクシンボルインデックスまでである、
前記指示を前記ＵＥに送信することとを行わせるように、前記プロセッサによって実行可能な装置。
［Ｃ５１］
ワイヤレス通信のための装置であって、
プロセッサと、
前記プロセッサと電子通信しているメモリと、
前記メモリ内に記憶された命令とを備え、前記命令が、前記装置に、
無線リソース制御（ＲＲＣ）接続状態から外れている間に、複数のダウンリンクシンボルにわたって、物理ダウンリンク共有チャネル（ＰＤＳＣＨ）を基地局から受信することと、前記ＰＤＳＣＨがブロードキャスト情報を搬送する、
前記複数のダウンリンクシンボルの第１のセットにわたって前記ＰＤＳＣＨの第１のブラインド復号を実行することと、
前記複数のダウンリンクシンボルの第２のセットの間に前記ＰＤＳＣＨの第２のブラインド復号を実行することと、前記第２のセットの長さが前記第１のセットとは異なるを行わせるように、前記プロセッサによって実行可能な装置。
［Ｃ５２］
ワイヤレス通信のためのコードを記憶している非一時的コンピュータ可読媒体であって、前記コードが、
ブロードキャスト情報を搬送する物理ダウンリンク共有チャネル（ＰＤＳＣＨ）を送信するために使用されるダウンリンクシンボルの長さの指示を、無線リソース制御（ＲＲＣ）接続状態から外れている間に、基地局から受信することと、前記長さが、開始ダウンリンクシンボルインデックスから終了ダウンリンクシンボルインデックスまでである、
前記指示に少なくとも部分的に基づいて、前記ＰＤＳＣＨを復号することとを行うように、プロセッサによって実行可能な命令を備える、非一時的コンピュータ可読媒体。
［Ｃ５３］
ワイヤレス通信のためのコードを記憶している非一時的コンピュータ可読媒体であって、前記コードが、
ユーザ機器（ＵＥ）が無線リソース制御（ＲＲＣ）接続状態から外れている間に、前記ＵＥにブロードキャスト情報を搬送する物理ダウンリンク共有チャネル（ＰＤＳＣＨ）を送信するために使用されるダウンリンクシンボルの長さを識別することと、前記長さが、開始ダウンリンクシンボルインデックスから終了ダウンリンクシンボルインデックスまでである、
前記指示を前記ＵＥに送信することとを行うように、プロセッサによって実行可能な命令を備える、非一時的コンピュータ可読媒体。
［Ｃ５４］
ワイヤレス通信のためのコードを記憶している非一時的コンピュータ可読媒体であって、前記コードが、
無線リソース制御（ＲＲＣ）接続状態から外れている間に、複数のダウンリンクシンボルにわたって、物理ダウンリンク共有チャネル（ＰＤＳＣＨ）を基地局から受信することと、前記ＰＤＳＣＨがブロードキャスト情報を搬送する、
前記複数のダウンリンクシンボルの第１のセットにわたって前記ＰＤＳＣＨのブラインド復号を実行することと、
前記複数のダウンリンクシンボルの第２のセットの間に前記ＰＤＳＣＨのブラインド復号を実行することと、前記第２のセットの長さが前記第１のセットとは異なるを行うように、プロセッサによって実行可能な命令を備える、非一時的コンピュータ可読媒体。